(57)【要約】【課題】単に装着しているだけで、安全に、着実にたるみ抑制・たるみ防止の効果を発揮できるだけでなく、これに加えて、優れた保温性を発揮でき、また、除菌防臭効果や、新陳代謝促進、人体内の老廃物除去、人体における痛みの解消などの効果を発揮できるサポータ。【解決手段】１乃至１５重量％の三仙石粉末を含有する人造繊維、あるいは、少なくとも３０重量％の三仙石粉末を含む、三仙石と蛇紋石および／または石英片岩石との混合粉末を、１ないし１５重量％含有する人造繊維を、繊維素材中少なくとも１０重量％混入した繊維製品からなり、伸縮性及び／又は弾性を有して、人体に装着されるサポータ。【選択図】図２
2012061210.tif 000002
【特許請求の範囲】
【請求項１】
１乃至１５重量％の三仙石粉末を含有する人造繊維、あるいは、
少なくとも３０重量％の三仙石粉末を含む、三仙石と蛇紋石および／または石英片岩石との混合粉末を、１ないし１５重量％含有する人造繊維
を、繊維素材中少なくとも１０重量％混入した繊維製品からなり、
伸縮性及び／又は弾性を有して、
人体に装着されるサポータ。
【請求項２】
伸縮性及び／又は弾性を有していて人体に装着されるサポータであって、
長手方向における両端部に互いを取り付け、取り外しする取り付け手段をそれぞれ備えていると共に、
前記取り付け手段が配備されている両端部よりも中央側にそれぞれ長手方向に延びる孔部を備えており、
当該長手方向に延びる２つの孔部を長手方向に結ぶ線分を長手方向に引いたときに、当該線分から前記サポータの長手方向に延びる２つの長辺の中のいずれか一方の長辺までの長さと、当該線分から他方の長辺までの長さとの比が１：１．７〜１．８となる位置に、前記２つの孔部が形成されている
ことを特徴とする人体に装着されるサポータ。
【請求項３】
前記サポータは、
１乃至１５重量％の三仙石粉末を含有する人造繊維、あるいは、
少なくとも３０重量％の三仙石粉末を含む、三仙石と蛇紋石および／または石英片岩石との混合粉末を、１ないし１５重量％含有する人造繊維
を、繊維素材中少なくとも１０重量％混入した繊維製品からなる
ことを特徴とする請求項２に記載の人体に装着されるサポータ。
【発明の詳細な説明】
【技術分野】
【０００１】
この発明は、身体に装着されるサポータに関し、特に、身体に装着されて、その伸縮力及び／又は弾性力により、たるみの抑制、たるみの防止に用いられるサポータに関する。
【背景技術】
【０００２】
人間の体は、年齢を重ねるにつれて、いわゆる、たるみが生じてくるのが一般的である。例えば、二重あごや、頬、二の腕、腹回り、太もも、ふくらはぎなど、全体的なたるみが年齢を重ねるにつれて体に生じてくるのが一般的である。このようなたるみを抑制、あるいは防止する目的で、ダイエットや運動を行うことが試みられるが、これらを継続することはなかなか難しい。
【０００３】
そこで、従来から、身体に装着されて、その伸縮力及び／又は弾性力により、たるみの抑制、たるみの防止に用いられるサポータが種々提案されている（例えば、特許文献１、２、３）。
【先行技術文献】
【特許文献】
【０００４】
【特許文献１】特開２００７−１６２１９２号公報
【特許文献２】特開２０１０−１２１８８号公報
【特許文献３】実用新案登録第３１２０５５５号公報
【特許文献４】特開平４−２７２２１２号公報
【発明の概要】
【発明が解決しようとする課題】
【０００５】
本発明は、単に装着しているだけで、安全に、着実にたるみ抑制・たるみ防止の効果を発揮できるだけでなく、これに加えて、優れた保温性を発揮でき、また、除菌防臭効果や、新陳代謝促進、人体内の老廃物除去、人体における痛みの解消などの効果を発揮できるサポータを提案することを目的にしている。
【０００６】
更に、たるみ抑制・たるみ防止の効果の中でも、特に、顔の二重あごや、頬のたるみを抑制・防止する効果に優れているサポータを提案することを目的にしている。
【課題を解決するための手段】
【０００７】
前記課題を解決するため、この発明が提案するサポータは以下の通りのものである。
【０００８】
請求項１記載の発明は、
１乃至１５重量％の三仙石粉末を含有する人造繊維、あるいは、
少なくとも３０重量％の三仙石粉末を含む、三仙石と蛇紋石および／または石英片岩石との混合粉末を、１ないし１５重量％含有する人造繊維
を、繊維素材中少なくとも１０重量％混入した繊維製品からなり、
伸縮性及び／又は弾性を有して、
人体に装着されるサポータである。
【０００９】
請求項２記載の発明は、
伸縮性及び／又は弾性を有していて人体に装着されるサポータであって、
長手方向における両端部に互いを取り付け、取り外しする取り付け手段をそれぞれ備えていると共に、
前記取り付け手段が配備されている両端部よりも中央側にそれぞれ長手方向に延びる孔部を備えており、
当該長手方向に延びる２つの孔部を長手方向に結ぶ線分を長手方向に引いたときに、当該線分から前記サポータの長手方向に延びる２つの長辺の中のいずれか一方の長辺までの長さと、当該線分から他方の長辺までの長さとの比が１：１．７〜１．８となる位置に、前記２つの孔部が形成されている
ことを特徴とする人体に装着されるサポータである。
【００１０】
請求項３記載の発明は、
前記サポータは、
１乃至１５重量％の三仙石粉末を含有する人造繊維、あるいは、
少なくとも３０重量％の三仙石粉末を含む、三仙石と蛇紋石および／または石英片岩石との混合粉末を、１ないし１５重量％含有する人造繊維
を、繊維素材中少なくとも１０重量％混入した繊維製品からなる
ことを特徴とする請求項２に記載の人体に装着されるサポータである。
【発明の効果】
【００１１】
この発明によれば、単に装着しているだけで、安全に、着実にたるみ抑制・たるみ防止の効果を発揮できるだけでなく、これに加えて、優れた保温性を発揮でき、また、除菌防臭効果や、新陳代謝促進、人体内の老廃物除去、人体における痛みの解消などの効果を発揮できるサポータを提供することができる。
【００１２】
すなわち、この発明が提案するサポータによれば、特に意識的な努力をすることなしに、例えば、家庭でテレビを見ながら、単に装着しているだけで、安全に、着実にたるみ抑制・たるみ防止の効果を発揮できる。
【００１３】
更に、たるみ抑制・たるみ防止の効果の中でも、特に、顔の二重あごや、頬のたるみを抑制・防止する効果に優れているサポータを提供することができる。
【図面の簡単な説明】
【００１４】
【図１】本発明のサポータの中で特に顔の二重あごや、頬のたるみを抑制・防止する効果に優れているサポータの一例を表す図であって、（ａ）は正面図、（ｂ）は背面図。
【図２】図１図示の本発明のサポータを顔に取り付けた状態の一例を説明する斜視図。
【図３】本発明のサポータにおける天然鉱石粉末と、一本一本の繊維との状態を説明する概略図。
【発明を実施するための形態】
【００１５】
この発明が提案するサポータは、１乃至１５重量％の三仙石粉末を含有する人造繊維、あるいは、少なくとも３０重量％の三仙石粉末を含む、三仙石と蛇紋石および／または石英片岩石との混合粉末を、１ないし１５重量％含有する人造繊維を、繊維素材中少なくとも１０重量％混入した繊維製品からなり、伸縮性及び／又は弾性を有して、人体に装着されるものである。
【００１６】
ここで、１乃至１５重量％の三仙石粉末を含有する人造繊維、あるいは、少なくとも３０重量％の三仙石粉末を含む、三仙石と蛇紋石および／または石英片岩石との混合粉末を、１ないし１５重量％含有する人造繊維を、繊維素材中少なくとも１０重量％混入した繊維製品は、特開平４−２７２２１２号公報（特許文献４）で提案されているものである。
【００１７】
三仙石とは、中華民国台湾省の太平洋岸側に産出する着色コーデライト系天然石を指す通称名である。わが国では、オーラストーンなどとも呼ばれている。もともと海底の海山が崩れ落ち、それが打寄せたものといわれ、青色系、茶色系などいくつかの色彩系に分けられるが、そのいずれをも使用することができる。
【００１８】
蛇紋石は、台湾省花蓮県内、なかでも玉里槙近辺から産出するものが品質がよく、非常に好ましい。
【００１９】
石英片岩石としては、愛知県北設楽郡近辺に産出するシリカ成分に富んだものが水分吸着、脱臭、抗菌性などを有し、遠赤外線放散量も妥当な値であって、好ましい。
【００２０】
三仙石は波長４．５〜２０μｍの範囲の遠赤外線を放射するものであることが確認されている。蛇紋石は波長２〜３０．３μｍの範囲の遠赤外線を放射するものであることが確認されている。
【００２１】
これらの天然鉱石を含む本発明のサポータについて検討したところ、太陽光線の中で最も良いとされる波長４〜１４μｍの範囲の遠赤外線が多量に放射されていることを確認できた。
【００２２】
これらの天然鉱石を含む人造繊維が保温性、脱臭性、抗菌性に優れていることは特許文献４においても確認されていることであるが、前述した本発明のサポータについて発明者が検討したところ、次のような優れた機能を確認することができた。
【００２３】
なお、この確認において使用した本発明のサポータは次のようにして製造した２種類のサポータである。
【００２４】
三仙石を５０ｋｇ、蛇紋岩を４０ｋｇ、愛知県北設楽郡産出の石英片岩石１０ｋｇをクラッシングで粗粉砕し、更に、衝撃式の微粉砕機を用いて粒径０．７μｍ以下に微粉砕した。
【００２５】
三仙石の微粉末３０重量部にポリエステルチップ７０重量部を加え、押出機で溶融押出してマスターチップを製造した。このマスターチップ１６．６に対しポリエステルチップを８３．４の重量比で混合し、溶融温度２５５±５℃、９００ホールの口金で溶融紡糸した。さらに、４．５倍に延伸し、引揃えて約５０万デニール、単糸繊度３．０デニールのトウにした。これをクリンパーにかけインチ当り１２〜１４山のクリンプを与えた後、約３２ｍｍにカットして、三仙石の微粉末が約５重量％混入したステープルファイバーを製造した。
【００２６】
このポリエステルステープルファイバーを利用して、伸縮性及び／又は弾力性を有するサポータを製造した。
【００２７】
また、前記のように準備した三仙石の微粉末と、蛇紋岩の微粉末と、石英片岩石の微粉末とを、三仙石微粉末が３５重量％になるように混合して、混合微粉末を調整した。この混合微粉末３０重量部にポリエステルチップ７０重量部を加え、前記と同様にして、前記の混合微粉末が約５重量％混入したステープルファイバーを製造し、このポリエステルステープルファイバーを利用して、伸縮性及び／又は弾力性を有するサポータを製造した。
【００２８】
１．細胞を元気にする（新陳代謝促進）効果
前述した本発明のサポータは、太陽光線の中で最も良いとされる波長４〜１４μｍの範囲の遠赤外線を多量に放射している。遠赤外線を体に吸収すると細胞内に熱反応が生じ、体内エネルギーが増強され体内酵素の働きが活性化し、新陳代謝が促進される。
【００２９】
２．血液の流れを良くする（保温性）効果
波長４〜１４μｍの範囲の遠赤外線による効果により、毛細血管が拡張し、血行を促進させ血液の粘度が低下しやすくなり、生活習慣病の予防も期待できる。
【００３０】
３．有害物質を排除し、雑菌や悪臭を防ぐ（老廃物除去、除菌防臭効果）効果
遠赤外線が体内に吸収されると水の分子活動が活発になり、発熱し体内循環が高まることによって発汗、排尿、排便などの体内老廃物除去がスムーズに行われる。また、汗や体臭に効果を発揮し、抗菌剤を一切使用していないにもかかわらず、院内感染（ＭＲＳＡ）、床ずれ(緑膿菌)  の原因となる菌等に効果的に対応が可能になる。
【００３１】
例えば、以下のような効果が確認されている
対象              試験時間              減少率
ＭＲＳＡ          ２時間              ９２．９％
ＭＲＳＡ          ８時間              ９９．９％
緑膿菌            １時間              ５２．４％
（(財)日本食品分析センター  試験結果）
アンモニア消臭    １時間              ９０％
（(財)日本紡績検査協会  試験結果）
【００３２】
４．痛みをやわらげる効果
遠赤外線は、深達性があるため病巣に当てることにより患部が温まり、例えば、骨折、腰痛、関節炎痛、リウマチ、神経痛、生理痛、虫歯、肩こり、筋肉痛などに効果を発揮する。
【００３３】
前記において、人造繊維は、ポリアミド系、ポリエステル系、ポリアクリロニトリル系、ポリビニル系、ポリオレフィン系、ポリウレタン系を始めとする各種の合成繊維、ビスコースレーヨン系、アセテート系を始めとする半合成繊維、無機繊維などのフィラメント、ステープル、綿、パイルなどが含まれる。これらの人造繊維の製造法や紡糸方法はいずれでもよく、またその繊度、断面形状なども問わないし、複合繊維であってもよい。
【００３４】
前記において、三仙石粉末を１ないし１５重量％としているのは、含有量が１重量％以下であると効果が顕著でなく、１５重量％以上であると人造繊維の性質、特に引張強度が低下するおそれがあるからである。
【００３５】
前記において、少なくとも３０重量％の三仙石粉末を含む、三仙石と蛇紋石および／または石英片岩石との混合粉末を１ないし１５重量％混入させているのは、混合粉末中三仙石粉末が３０重量％以下になると、添加した効果が劣るようになるからである。
【００３６】
前記の天然鉱石粉末（三仙石粉末、蛇紋石粉末、石英片岩石粉末）は、人造繊維製造工程中のいずれかで混入することができる。たとえば、原料の調整工程、重合工程などで添加し、含有量の高いマスターチップを製造し、ついでこれを通常のチップに混ぜて溶融紡糸したり、直接、紡糸液に混合して湿式紡糸したりする。
【００３７】
これらの天然鉱石粉末の大きさは、人造繊維の強度などに影響しない程度の範囲に、すなわち、粒径が約５μｍ以下になるよう調整して混入するが、本発明では、超微粒子（０．７μｍ以下）にして繊維に練りこんでいる。
【００３８】
前記において、繊維製品に、１乃至１５重量％の三仙石粉末を含有する人造繊維、あるいは、少なくとも３０重量％の三仙石粉末を含む、三仙石と蛇紋石および／または石英片岩石との混合粉末を、１ないし１５重量％含有する人造繊維を、繊維素材中少なくとも１０重量％混入しているのは、１０％重量未満であると、上述した保温効果などが十分に発揮されなくなるためである。
【００３９】
次に、この発明が提案する他のサポータは、伸縮性及び／又は弾性を有していて人体に装着されるサポータであって、長手方向における両端部に互いを取り付け、取り外しする取り付け手段をそれぞれ備えていると共に、前記取り付け手段が配備されている両端部よりも中央側にそれぞれ長手方向に延びる孔部を備えており、当該長手方向に延びる２つの孔部を長手方向に結ぶ線分を長手方向に引いたときに、当該線分から前記サポータの長手方向に延びる２つの長辺の中のいずれか一方の長辺までの長さと、当該線分から他方の長辺までの長さとの比が１：１．７〜１．８となる位置に、前記２つの孔部が形成されているものである。
【００４０】
このサポータは、たるみ抑制・たるみ防止の効果の中でも、特に、顔の二重あごや、頬のたるみを抑制・防止する効果に優れている。
【００４１】
すなわち、前記の２つの孔部をそれぞれ人体頭部の左右それぞれの耳に取り付け、前記２つの孔部を長手方向に結ぶ線分を長手方向に引いたときに、当該線分から前記サポータの長手方向に延びる２つの長辺の中のいずれか一方の長辺までの長さが１の比率になる方を首部で、これに対して当該線分から他方の長辺までの長さが１．７〜１．８の比率になる方を顎部に掛けるように装着することによって、顔の二重あごや、頬のたるみを効果的に抑制・防止することができる。
【００４２】
なお、この顔の二重あごや、頬のたるみを抑制・防止する効果に優れている本発明のサポータにおいても、１乃至１５重量％の三仙石粉末を含有する人造繊維、あるいは、少なくとも３０重量％の三仙石粉末を含む、三仙石と蛇紋石および／または石英片岩石との混合粉末を、１ないし１５重量％含有する人造繊維を、繊維素材中少なくとも１０重量％混入した繊維製品製にすることによって、前述した、優れた保温効果、除菌防臭効果、新陳代謝促進、人体内の老廃物除去、人体における痛みの解消などの効果を発揮させることができる。
【実施例１】
【００４３】
人間の顔に取り付けて顔の二重あごや、頬のたるみを抑制・防止する効果に優れている本発明のサポータについて好ましい実施例を説明する。
【００４４】
三仙石を５０ｋｇ、蛇紋岩を４０ｋｇ、愛知県北設楽郡産出の石英片岩石１０ｋｇをクラッシングで粗粉砕し、更に、衝撃式の微粉砕機を用いて粒径０．７μｍ以下に微粉砕した。
【００４５】
前記のように準備した三仙石の微粉末と、蛇紋岩の微粉末と、石英片岩石の微粉末とを、三仙石微粉末が３５重量％になるように混合して、混合微粉末を調整した。この混合微粉末３０重量部にポリエステルチップ７０重量部を加え、押出機で溶融押出してマスターチップを製造した。このマスターチップ１６．６に対しポリエステルチップを８３．４の重量比で混合し、溶融温度２５５±５℃、９００ホールの口金で溶融紡糸した。さらに、４．５倍に延伸し、引揃えて約５０万デニール、単糸繊度３．０デニールのトウにした。これをクリンパーにかけインチ当り１２〜１４山のクリンプを与えた後、約３２ｍｍにカットして、前記のように準備した混合微粉末が約５重量％混入したステープルファイバーを製造した。
【００４６】
このポリエステルステープルファイバーを利用して、伸縮性及び／又は弾力性を有するサポータ１を製造した。
【００４７】
図１図示のように、サポータ１は長手方向における両端部２ａ、２ｂに互いを取り付け、取り外しする取り付け手段である面ファスナー３ａ、３ｂをそれぞれ備えている。
【００４８】
また、面ファスナー３ａ、３ｂが配備されている両端部２ａ、２ｂよりも中央側にそれぞれ長手方向に延びる孔部４ａ、４ｂが形成されている。
【００４９】
孔部４ａ、４ｂは図２図示のように、サポータ１を顔７に装着した際に耳８が突出する孔として利用されるものである。
【００５０】
図示の実施形態では、長手方向の長さＬが６８０ｍｍ、長手方向に直交する幅Ｗが１１０ｍｍである。
【００５１】
また、長手方向に延びる２つの孔部４ａ、４ｂを長手方向に結ぶ線分５を長手方向に引いたときに、線分５からサポータ１の長手方向に延びる２つの長辺６ａ、６ｂの中の長辺６ａまでの長さ（幅）Ｗ１は４０ｍｍ、長辺６ｂでの長さ（幅）Ｗ２は７０ｍｍである。
【００５２】
本発明のサポータ１においては、前述したようにして製造されているので、粒径０．７μｍ以下の天然鉱石粉末（三仙石粉末、蛇紋岩粉末、石英片岩石粉末）１２が、図３に概略構成を示したように、一本一本の繊維１１ａ、１１ｂに練りこまれるようになっており、サポータ１を人体に装着したときに、天然鉱石粉末１２が人体に直接接触し、より効果的に保温効果、除菌防臭効果、新陳代謝促進、人体内の老廃物除去、人体における痛みの解消などの効果を発揮できるようになっている。また、このように、天然鉱石粉末１２が一本一本の繊維１１ａ、１１ｂの内部にしっかり内蔵されているので、サポータ１を何回洗濯しても、いつまでも保温効果などの優れた機能が持続される。
【００５３】
また、一切の染色を行うことなしに天然鉱石の自然の色素を生かして製造しているので、皮膚に優しく馴染み、より効果的に保温効果などを発揮できる。
【００５４】
人体に装着する際には、図２図示のように、長辺６ａが首１０側、長辺６ｂが顎９側になるようにして装着する。面ファスナー３ａ、３ｂにより取り付け、取り外しを行うので、使用者が任意に締め付けの強弱を調整することができる。
【００５５】
発明者の実験によると、図２図示のように顔７に装着したときに耳８が突出する孔になる２つの孔部４ａ、４ｂを長手方向に結ぶ線分５を長手方向に引いたときに、線分５からサポータ１の長辺６ａまでの長さ（幅）Ｗ１と、線分５から長辺６ｂまでの長さ（幅）Ｗ２との比を１：１．７〜１．８にすると、人間の顔７に取り付けて顔の二重あごや、頬のたるみを抑制・防止する効果に優れていた。すなわち、前記の２つの孔部４ａ、４ｂをそれぞれ人体頭部の左右それぞれの耳に取り付け、前記２つの孔部４ａ、４ｂを長手方向に結ぶ線分５を長手方向に引いたときに、線分５からサポータ１の長手方向に延びる２つの長辺６ａ、６ｂの中の一方の長辺６ａまでの長さが１の比率になる方を首部１０で、これに対して線分５から他方の長辺６ｂまでの長さが１．７〜１．８の比率になる方を顎部９に掛けるように装着することによって、顔の二重あごや、頬のたるみを効果的に抑制・防止することができる。
【００５６】
このような、顔の二重あごや、頬のたるみを抑制・防止する効果が最も優れていたのが、図示し、説明したＷ１：Ｗ２＝４：７であった。
【００５７】
本発明のサポータ１は、特に、意識をすることなく、リラックスした状態、例えば、家庭でテレビを見ているようなリラックスした状態で使用することができる。
【００５８】
この場合、人体の肌を引き締める効果を有するクリーム、ローションなどを肌に塗った上で、本発明のサポータ１を使用すると一層の効果を期待することができる。
【００５９】
以上、添付図面を参照して本発明の好ましい実施形態を説明したが、本発明はかかる実施形態に限定されるものではなく、特許請求の範囲の記載から把握される技術的範囲において種々の形態に変更可能である。
【００６０】
例えば、図１に例示したサポータ１を顔に装着するだけでなく、腕などに装着して使用することもできるし、図１に例示したサポータ１よりも大型のサポータにして、腹部に装着して使用することもできる。
【符号の説明】
【００６１】
１  サポータ
１ａ  サポータの表面
１ｂ  サポータの裏面
２ａ、２ｂ  サポータの長手方向における両端部
３ａ、３ｂ  面ファスナー（取り付け手段）
４ａ、４ｂ  長手方向に延びる孔部
５  長手方向に延びる２つの孔部を長手方向に結ぶ線分
６ａ、６ｂ  サポータの長手方向に延びる２つの長辺
７  顔
８  耳
１１ａ、１１ｂ  繊維
１２  天然鉱石粉末（三仙石粉末、蛇紋岩粉末、石英片岩石粉末）
【図１】
2012061210.tif 000003
【図２】
2012061210.tif 000004
【図３】
2012061210.tif 000005